【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、大当たり判定処理を行う大当たり判定手段と、
前記大当たり判定手段による大当たり判定処理の結果が大当たりであることに基づいて、遊技者に特典が付与される大当たり遊技を行う大当たり遊技実行手段と、
前記乱数取得手段により乱数が取得された場合、該取得された乱数に応じた前記大当たり判定手段による大当たり判定処理をその実行条件が成立するまで待機させて保留する遊技保留手段と、
前記遊技保留手段により保留の状態とされる大当たり判定処理についての大当たり期待度をその実行条件が成立するよりも前に示すか否かを演出判定する先行演出判定手段と、
前記遊技保留手段により保留の状態とされる大当たり判定処理の実行条件が成立したとき、該大当たり判定処理の結果に基づいて図柄変動態様を決定する図柄変動態様決定手段と、
前記大当たり判定手段による大当たり判定処理の結果がハズレであるときに出現しうる特別の演出態様を表示可能な特別演出表示制御手段と、
前記先行演出判定手段により前記大当たり判定処理についての大当たり期待度をその実行条件が成立するよりも前に示す旨の演出判定がなされていないなかで当該大当たり判定処理とは別の大当たり判定処理の実行条件が成立した結果、該別の大当たり判定処理の結果に基づいて前記図柄変動態様決定手段により特定の図柄変動態様が決定されて、該特定の図柄変動態様にて該別の大当たり判定処理が消化される場合、該別の大当たり判定処理に関する演出画像を、前記特定の図柄変動態様により定められる特定演出時間にわたって出現させるように制御する第一演出制御手段と、
前記先行演出判定手段により前記大当たり判定処理についての大当たり期待度をその実行条件が成立するよりも前に示す旨の演出判定がなされているなかで当該大当たり判定処理とは別の大当たり判定処理の実行条件が成立した結果、該別の大当たり判定処理の結果に基づいて前記図柄変動態様決定手段により前記特定の図柄変動態様が決定されて、該特定の図柄変動態様にて該別の大当たり判定処理が消化される場合、前記特定演出時間が経過していない早い段階で前記特別演出表示制御手段によって特別の演出態様を表示させる制御を実行可能な第二演出制御手段と
を備え、
前記第二演出制御手段は、
前記特定の図柄変動態様により定められる前記特定演出時間のうち、前記特別の演出態様が出現するまでの前期間において前記別の大当たり判定処理に関する演出画像を出現させるとともに、前記特別の演出態様が出現してから当該特定演出時間が経過するまでの後期間において未だ保留の状態にある大当たり判定処理に関する演出画像を先行出現させる制御を実行可能であり、
さらに、
前記第二演出制御手段による制御によって前記未だ保留の状態にある大当たり判定処理に関する演出画像が先行出現されるに際しては、少なくとも前記特別の演出態様が表示されるまでの間、前記先行演出判定手段によって前記大当たり期待度をその実行条件が成立するよりも前に示す旨の演出判定がなされていることが秘匿にされうるものであり、
前記未だ保留の状態にある大当たり判定処理に関する演出画像が前記第二演出制御手段によって先行出現されるよりも前に、該演出画像が先行出現しうることを示唆する演出が実行可能とされる
ことを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】０００８
【補正方法】変更
【補正の内容】
【０００８】
手段１：始動口への遊技球の入球に基づいて乱数を取得する乱数取得手段と、
前記乱数取得手段により取得される乱数に基づいて、大当たり判定処理を行う大当たり判定手段と、
前記大当たり判定手段による大当たり判定処理の結果が大当たりであることに基づいて、遊技者に特典が付与される大当たり遊技を行う大当たり遊技実行手段と、
前記乱数取得手段により乱数が取得された場合、該取得された乱数に応じた前記大当たり判定手段による大当たり判定処理をその実行条件が成立するまで待機させて保留する遊技保留手段と、
前記遊技保留手段により保留の状態とされる大当たり判定処理についての大当たり期待度をその実行条件が成立するよりも前に示すか否かを演出判定する先行演出判定手段と、
前記遊技保留手段により保留の状態とされる大当たり判定処理の実行条件が成立したとき、該大当たり判定処理の結果に基づいて図柄変動態様を決定する図柄変動態様決定手段と、
前記大当たり判定手段による大当たり判定処理の結果がハズレであるときに出現しうる特別の演出態様を表示可能な特別演出表示制御手段と、
前記先行演出判定手段により前記大当たり判定処理についての大当たり期待度をその実行条件が成立するよりも前に示す旨の演出判定がなされていないなかで当該大当たり判定処理とは別の大当たり判定処理の実行条件が成立した結果、該別の大当たり判定処理の結果に基づいて前記図柄変動態様決定手段により特定の図柄変動態様が決定されて、該特定の図柄変動態様にて該別の大当たり判定処理が消化される場合、該別の大当たり判定処理に関する演出画像を、前記特定の図柄変動態様により定められる特定演出時間にわたって出現させるように制御する第一演出制御手段と、
前記先行演出判定手段により前記大当たり判定処理についての大当たり期待度をその実行条件が成立するよりも前に示す旨の演出判定がなされているなかで当該大当たり判定処理とは別の大当たり判定処理の実行条件が成立した結果、該別の大当たり判定処理の結果に基づいて前記図柄変動態様決定手段により前記特定の図柄変動態様が決定されて、該特定の図柄変動態様にて該別の大当たり判定処理が消化される場合、前記特定演出時間が経過していない早い段階で前記特別演出表示制御手段によって特別の演出態様を表示させる制御を実行可能な第二演出制御手段と
を備え、
前記第二演出制御手段は、
前記特定の図柄変動態様により定められる前記特定演出時間のうち、前記特別の演出態様が出現するまでの前期間において前記別の大当たり判定処理に関する演出画像を出現させるとともに、前記特別の演出態様が出現してから当該特定演出時間が経過するまでの後期間において未だ保留の状態にある大当たり判定処理に関する演出画像を先行出現させる制御を実行可能であり、
さらに、
前記第二演出制御手段による制御によって前記未だ保留の状態にある大当たり判定処理に関する演出画像が先行出現されるに際しては、少なくとも前記特別の演出態様が表示されるまでの間、前記先行演出判定手段によって前記大当たり期待度をその実行条件が成立するよりも前に示す旨の演出判定がなされていることが秘匿にされうるものであり、
前記未だ保留の状態にある大当たり判定処理に関する演出画像が前記第二演出制御手段によって先行出現されるよりも前に、該演出画像が先行出現しうることを示唆する演出が実行可能とされる
ことを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】